(57)【特許請求の範囲】
【請求項１】
ドラム式洗濯機の格子状に形成されたリントフィルタに装着して使用する使い捨てフィルタであって、リントフィルタの内面に沿って装着される矩形の通水性シートからなる本体部を備え、該本体部に、本体部の長手方向に断続するスリットを、本体部の幅方向に複数列形成してなることを特徴とするドラム式洗濯機用使い捨てフィルタ。
【請求項２】
通水性シートが、合成樹脂製の不織布シートからなることを特徴とする請求項１記載のドラム式洗濯機用使い捨てフィルタ。
【請求項３】
不織布シートが、ポリエステルモノフィラメント製の不織布シートからなることを特徴とする請求項２記載のドラム式洗濯機用使い捨てフィルタ。
【請求項４】
本体部の長手方向の端部に摘み部を一体に備えてなることを特徴とする請求項１、２又は３記載のドラム式洗濯機用使い捨てフィルタ。
【発明の詳細な説明】
【技術分野】
【０００１】
本発明は、ドラム式洗濯機用使い捨てフィルタに関するものである。
【背景技術】
【０００２】
現在汎用されているドラム式洗濯機においては、例えば、図３に示すように、フィルタケース２１の側部に排水ポンプ２２と循環ポンプ２３を配設し、フィルタケース２１に内設され外方から取り外し可能なリントフィルタ２４を備えるようにしている。
リントフィルタ２４は、フィルタケース２１の内設部分に上方が開口して設置されるように、断面が略コ字状の格子状に形成されている。
ここで、リントフィルタ２４の格子は、排水ポンプ２２側に排水側格子２４ａによって、循環ポンプ２３側に排水側格子２４ａよりも格子の単位開口面積が小さい循環側格子２４ｂによって、それぞれ構成するようにしている。
【０００３】
そして、排水時は、排水ポンプ２２を駆動することによって、水槽（図示省略）から排水管２５を介してフィルタケース２１に導入された洗濯水は、リントフィルタ２４に形成された排水側格子２４ａを通過して、排水ポンプ２２を通り、排水ホース２６から機外へ排水される。
このとき、洗濯水に含まれる大きい糸屑は排水側格子２４ａに捕集され、それより小さい糸屑は機外に排出される。
【０００４】
一方、洗濯水循環時は、循環ポンプ２３を駆動することによって水槽から排水管２５を介してフィルタケース２１に導入された洗濯水は、リントフィルタ２４に形成された循環側格子２４ｂを通過して、循環ポンプ２３を通り、吐出側経路２７から回転ドラム（図示省略）に供給される。
このとき、洗濯水に含まれる糸屑は循環側格子２４ｂに捕集される。
【０００５】
そして、リントフィルタ２４に捕集された糸屑は、使用者が外方からリントフィルタ２４の胴部２４ｃに形成されたフィルタ摘み２４ｄを回転させて取り外し、掃除をすることができるようにされている。
【先行技術文献】
【特許文献】
【０００６】
【特許文献１】特開２０１２−１７０６９３号公報
【発明の概要】
【発明が解決しようとする課題】
【０００７】
ところで、上記従来のドラム式洗濯機の格子状に形成されたリントフィルタには、捕集された糸屑が複雑に絡み付くため、掃除をする際に手数を要するとともに、使用者の手や衣服を汚すという問題があった。
また、リントフィルタは、掃除の手数を低減するために、格子の単位開口面積が比較的大きく設定することが一般的であるため、糸屑が、捕集されることなく機外に排出されて排水経路を詰まらせたり、循環する洗濯水と共に回転ドラムに供給されるという問題があった。
【０００８】
本発明は、上記従来のドラム式洗濯機の格子状に形成されたリントフィルタの有する問題点に鑑み、リントフィルタの掃除をする際の手数を軽減するとともに、糸屑の捕集性能を向上することができるドラム式洗濯機用使い捨てフィルタを提供することを目的とする。
【課題を解決するための手段】
【０００９】
上記目的を達成するため、本発明のドラム式洗濯機用使い捨てフィルタは、ドラム式洗濯機の格子状に形成されたリントフィルタに装着して使用する使い捨てフィルタであって、リントフィルタの内面に沿って装着される矩形の通水性シートからなる本体部を備え、該本体部に、本体部の長手方向に断続するスリットを、本体部の幅方向に複数列形成してなることを特徴とする。
【００１０】
この場合において、通水性シートを、合成樹脂製の不織布シートから構成することができる。
【００１１】
さらに、不織布シートを、ポリエステルモノフィラメント製の不織布シートから構成することができる。
【００１３】
また、本体部の長手方向の端部に摘み部を一体に備えてなるようにすることができる。
【発明の効果】
【００１４】
本発明のドラム式洗濯機用使い捨てフィルタによれば、リントフィルタの内面に沿って装着される矩形の通水性シートからなる本体部を備えてなるようにすることにより、糸屑が使い捨てフィルタに捕集されてリントフィルタに絡み付くことがなくなるため、糸屑を捕集した使い捨てフィルタをリントフィルタから離脱させてそのまま廃棄することで、リントフィルタの掃除をすることができ、掃除をする際に手数を要することがなく、使用者の手や衣服を汚すという問題を解消することができる。
また、通水性シートによって、糸屑の捕集性能を向上することができ、糸屑が、捕集されることなく機外に排出されて排水経路を詰まらせたり、循環する洗濯水と共に回転ドラムに供給されるという問題を解消することができる。
そして、本体部に、本体部の長手方向に断続するスリットを、本体部の幅方向に複数列形成してなるようにすることにより、使い捨てフィルタの本体部を、ドラム式洗濯機の機種によって異なる形状をしているリントフィルタの内面に沿って安定して装着することができ、汎用性を高めることができるとともに、フィルタの通水性能を維持することができる。
【００１５】
また、通水性シートを、合成樹脂製の不織布シートから構成することにより、均一かつ良好な通水性能を長期間に亘って維持することができる。
【００１６】
さらに、不織布シートを、ポリエステルモノフィラメント製の不織布シートから構成することにより、形態安定性に優れたものとなり、リントフィルタへの装着安定性を高めることができる。
【００１８】
また、本体部の長手方向の端部に摘み部を一体に備えてなるようにすることにより、糸屑を捕集した使い捨てフィルタを摘み部を持ってリントフィルタから容易に離脱させることができる。
【図面の簡単な説明】
【００１９】
【図１】本発明のドラム式洗濯機用使い捨てフィルタの一実施例を示し、（ａ）はその説明図、（ｂ）はリントフィルタの内面に沿って装着した状態を示す斜視図、（ｃ）は同断面図である。
【図２】本発明のドラム式洗濯機用使い捨てフィルタの変形実施例の説明図である。
【図３】ドラム式洗濯機のリントフィルタの説明図である。
【発明を実施するための形態】
【００２０】
以下、本発明のドラム式洗濯機用使い捨てフィルタの実施の形態を、図面に基づいて説明する。
【００２１】
図１に、本発明のドラム式洗濯機用使い捨てフィルタの一実施例を示す。
このドラム式洗濯機用使い捨てフィルタ１は、図３に示すようなドラム式洗濯機の格子状に形成されたリントフィルタ２４に装着して使用することができるもので、リントフィルタ２４の内面に沿って装着される矩形の通水性シート、より具体的には、合成樹脂製の不織布シートからなる本体部１１を備えてなるとともに、この本体部１１の長手方向の端部に摘み部１２を一体に備えてなるようにしている。
【００２２】
使い捨てフィルタ１を構成する合成樹脂製の不織布シートは、均一かつ良好な通水性能を長期間に亘って維持することができるものである限りにおいて、各種の不織布シートを使用することができるが、耐薬品性に優れ、嵩高性及び弾力性があり、熱セット性及び形態安定性に優れ、吸水性がほとんどない、ポリエステル樹脂製、特に、ポリエステルモノフィラメント製の不織布シートを好適に用いることができる。
不織布シートは、リントフィルタ２４の内面に沿って装着した状態でリントフィルタ２４の通水性を損ねることがないように、目付が６０〜１００ｇ／ｍ２程度、好ましくは、８０ｇ／ｍ２程度、厚さが３〜５ｍｍ程度、好ましくは、４ｍｍ程度の不織布シートを好適に用いることができる。
【００２３】
そして、使い捨てフィルタ１を構成する通水性シートには、上記の合成樹脂製の不織布シートのほか、フィルタケース２１に導入されてリントフィルタ２４に形成された排水側格子２４ａ又は循環側格子２４ｂを通過する洗濯水によって溶解したり、型くずれしない各種のシート材料、例えば、合成樹脂製のネット（網）状のシートや微細な孔を有することにより通水性を備えた紙や合成樹脂製のシートを用いることもできる。
【００２４】
使い捨てフィルタ１の本体部１１の大きさは、特に限定されるものではないが、例えば、８ｃｍ×１７ｃｍ程度に形成し、図１（ｃ）のＸ部に示すように、リントフィルタ２４に装着したときにリントフィルタ２４の開口縁部からはみ出ないように、必要に応じて、リントフィルタ２４の形状に合わせて、その周囲１１ａをハサミ等を用いてカットして使用するようにする。
【００２５】
使い捨てフィルタ１の本体部１１には、本体部１１の長手方向に断続するスリット１３を、本体部１１の幅方向に複数列（本実施例においては、６列。）形成するようにしている。
このスリット１３は、本体部１１を構成する通水性シートに、切り込みを入れることによって形成することができる。
これにより、通水性シートが形態安定性に優れた不織布シートからなる使い捨てフィルタ１の場合であっても、使い捨てフィルタ１の本体部１１を、ドラム式洗濯機の機種によって異なる形状をしているリントフィルタ２４の内面に沿って安定して装着することができ、汎用性を高めることができるとともに、使い捨てフィルタ１自体の通水性能を維持し、リントフィルタ２４の通水性を損ねることがないようにすることができる。
【００２６】
また、使い捨てフィルタ１の本体部１１には、使い捨てフィルタ１自体の通水性能を維持し、リントフィルタ２４の通水性を損ねることがないようにするために、図２に示す変形実施例のように、スリット１３と共に（又はスリット１３に代えて）、多数の小孔１４を形成することもできる。
【００２７】
使い捨てフィルタ１の本体部１１の長手方向の端部に一体に備えるようにした摘み部１２は、特に限定されるものではないが、例えば、本体部１１の幅より狭く（２〜３ｃｍ程度）、本体部１１の長手方向に４ｃｍ程度延出するように形成し、図１（ｂ）に示すように、リントフィルタ２４の通水性を損ねることがないように、リントフィルタ２４の胴部２４ｃの内面に沿って装着されるようにする。
この場合において、使い捨てフィルタ１の本体部１１と摘み部１２の接合部、すなわち、摘み部１２の付け根の部分に両側から切り込みを入れることにより、リントフィルタ２４の胴部２４ｃの内面に沿って安定して装着することができる。
これにより、糸屑を捕集した使い捨てフィルタ１を、摘み部１２を持つことによって、リントフィルタ２４から使用者の手や衣服を汚すことなく容易に離脱させることができる。
【００２８】
このドラム式洗濯機用使い捨てフィルタ１は、糸屑が使い捨てフィルタ１に捕集されてリントフィルタ２４に絡み付くことがなくなるため、糸屑を捕集した使い捨てフィルタ１をリントフィルタ２４から離脱させてそのまま廃棄することで、リントフィルタ２４の掃除をすることができ、掃除をする際に手数を要することがなく、使用者の手や衣服を汚すという問題を解消することができる。
また、通水性シートによって、糸屑の捕集性能を向上することができ、糸屑が、捕集されることなく機外に排出されて排水経路を詰まらせたり、循環する洗濯水と共に回転ドラムに供給されるという問題を解消することができる。
そして、特に、通水性シートに装着安定性の高い形態安定性に優れた不織布シートを用いた使い捨てフィルタ１の場合であっても、使い捨てフィルタ１の本体部１１に、本体部１１の長手方向に断続するスリット１３を、本体部１１の幅方向に複数列形成するようにすることによって、使い捨てフィルタ１の本体部１１を、ドラム式洗濯機の機種によって異なる形状をしているリントフィルタ２４の内面に沿って安定して装着することができ、汎用性を高めることができるとともに、使い捨てフィルタ１自体の通水性能を維持し、リントフィルタ２４の通水性を損ねたり、ドラム式洗濯機に不具合を生じさせることがないようにすることができる。
【００２９】
以上、本発明のドラム式洗濯機用使い捨てフィルタについて、その実施例に基づいて説明したが、本発明は上記実施例に記載した構成に限定されるものではなく、その趣旨を逸脱しない範囲において適宜その構成を変更することができるものである。
【産業上の利用可能性】
【００３０】
本発明のドラム式洗濯機用使い捨てフィルタは、リントフィルタの掃除をする際の手数を軽減するとともに、糸屑の捕集性能を向上することができるという特性を有していることから、ドラム式洗濯機用使い捨てフィルタの用途に好適に用いることができる。
【符号の説明】
【００３１】
１  ドラム式洗濯機用使い捨てフィルタ
１１  本体部
１２  摘み部
１３  スリット
２４  リントフィルタ
【要約】
【課題】リントフィルタの掃除をする際の手数を軽減するとともに、糸屑の捕集性能を向上することができるドラム式洗濯機用使い捨てフィルタを提供すること。
【解決手段】ドラム式洗濯機の格子状に形成されたリントフィルタ２４に装着して使用することができるもので、リントフィルタ２４の内面に沿って装着される矩形の通水性シートからなる本体部１１を備えてなるとともに、この本体部１１の長手方向の端部に摘み部１２を一体に備えてなる。
【選択図】図１【図１】
0005835786.tif 000002
【図２】
0005835786.tif 000003
【図３】
0005835786.tif 000004